(57)【要約】  【課題】  本発明の目的は、貯水ユニットの要部が外部に直接露出していず、それ故長期に亘って損傷し難く、維持管理が容易な潅水システムを提供することにある。  【解決手段】  本発明の潅水システムは、敷き詰められたインターロッキングブロック１（保水性ブロック）と、インターロッキングブロック１の下に敷き詰められ上部が開口した貯水ボックス６と貯水ボックス７の上部を覆い貯水ボックス６に通じる通水孔５５を有する天板７とからなる貯水ユニット５と、を有することを特徴としている。  【選択図】  図１
2008231703.tif 000002
【特許請求の範囲】
【請求項１】
敷き詰められた保水性ブロックと、該保水性ブロックの下に敷き詰められ上部に開口部を有する貯水ボックスと該貯水ボックスの開口部を覆い前記貯水ボックスに通じる通水孔を有する天板とからなる貯水ユニットと、を有することを特徴とする潅水システム。
【請求項２】
敷き詰められた保水性ブロックと、該保水性ブロックの下に敷き詰められた透水性のクッション性介在物と、該透水性のクッション性介在物の下方に敷き詰められ上部に開口部を有する貯水ボックスと該貯水ボックスの開口部を覆い前記貯水ボックスに通じる通水孔を有する天板とからなる貯水ユニットと、を有することを特徴とする潅水システム。
【請求項３】
敷き詰められた保水性ブロックと、該保水性ブロックの下に敷き詰められた透水性のクッション性介在物と、該透水性のクッション性介在物の下に敷き詰められた透水性部材と、該透水性部材の下に敷き詰められ上部に開口部を有する貯水ボックスと該貯水ボックスの開口部を覆い前記貯水ボックスに通じる通水孔を有する天板とからなる貯水ユニットと、を有することを特徴とする潅水システム。
【請求項４】
前記透水性のクッション性介在物はサンドクッションであることを特徴とする請求項２または請求項３いずれかに記載の潅水システム。
【請求項５】
前記隣接する貯水ユニット間には、配管を布設可能な隙間があることを特徴とする請求項１〜請求項３いずれかに記載の潅水システム。
【請求項６】
前記隣接する前記貯水ユニット間の隙間には透水性充填部材が充填されていることを特徴とする請求項１〜請求項３いずれかに記載の潅水システム。
【請求項７】
前記透水性部材は透水性シ−トであることを特徴とする請求項３記載の潅水システム。
【請求項８】
前記貯水ボックスの底板は、貯水ボックスの貯水部の横断面の面積よりも面積が広く、かつ前記貯水ボックスの側面より外側に突き出していて、前記貯水ボックスの側面にはその上部から下部に向かって延び前記底板表面に連なる複数のリブが設けられていることを特徴とする請求項１〜請求項３いずれかに記載の潅水システム。
【請求項９】
前記複数のリブは上部から下部に向かってテーパ状に裾が広がるリブであることを特徴とする請求項８記載の潅水システム。
【請求項１０】
前記貯水ボックスの底板の四辺には、隣接する貯水ボックスの底板に設けられた嵌合穴に嵌め合う嵌合突起と、前記隣接する貯水ボックスの底板に設けられた嵌合突起に嵌め合う嵌合穴とが各々対になって設けられていることを特徴とする請求項１〜請求項３いずれかに記載の潅水システム。
【請求項１１】
前記天板の平面は、貯水ボックスの貯水部の横断面よりも広くなっていることを特徴とする請求項１〜請求項３いずれかに記載の潅水システム。
【請求項１２】
前記貯水ボックスの上端には嵌合連続突起が設けられ、前記天板の下面には前記嵌合連続突起が嵌合する嵌合溝が設けられていることを特徴とする請求項１〜請求項３いずれかに記載の潅水システム。
【請求項１３】
前記貯水ボックスの上端には嵌合溝が設けられ、前記天板の下面には前記嵌合溝に嵌合する嵌合連続突起が設けられていることを特徴とする請求項１〜請求項３いずれかに記載の潅水システム。
【請求項１４】
前記貯水ボックスの最大幅が５００ｍｍ未満であることを特徴とする請求項１〜請求項３いずれかに記載の潅水システム。
【請求項１５】
前記天板に設けられた通水孔から前記貯水ボックス内の底面に向かって導水性部材が垂下していることを特徴とする請求項１請求項３いずれかに記載の潅水システム。
【請求項１６】
前記導水性部材はシリカ粉末を円柱状に成形したものであって、前記天板に形成されている通水孔に前記導水性部材の上端が、前記天板の下面から前記貯水ボックスの底面に向かって垂下するように接続されていることを特徴とする請求項１５記載の潅水システム。
【請求項１７】
前記導水性部材はシリカ粉末を円筒状に成形したものであって、前記天板に形成されている通水孔と前記導水性部材の孔とが略同心円状になるように、かつ前記天板の下面から前記貯水ボックスの底面に向かって垂下するように前記導水性部材の上端が前記通水孔に接続されていることを特徴とする請求項１５記載の潅水システム。
【発明の詳細な説明】
【技術分野】
【０００１】
本発明は、例えば、舗道や屋上等に布設される潅水システムに関するものである。
【背景技術】
【０００２】
都市部の舗道やビルの屋上は、通常アスファルトやコンクリートで固められている。そのため夏季の日中においては温度上昇が激しく、舗道を歩いたり、屋上で過ごすにはとても厳しい環境条件となる。特に温暖化現象が顕著になってきた昨今においては、日中のみならず夜間においても、この熱がアスファルトやビルの屋上から放熱されて、いわゆるヒートアイランド現象を引き起こす要因の一つにもなっている。
【０００３】
このヒートアイランド現象を緩和しようと、道路の脇に木を植えたり、ビルの屋上に芝生を植えたり、あるいは種々の草木や花を植える試みも成されているが、それだけでは十分でなく、さらなる工夫が求められている。
この一環として、特許文献１にあるように保水性舗装ブロック本体の下に容器状の保水タンクを設置し、この保水タンクに降雨時に降った雨水を溜めておき、これを不織布を介して毛細管現象により上方に吸い上げ、保水性舗道ブロック本体から蒸発させて、その蒸発潜熱により保水性舗装ブロック本体を冷やそう、との試みも成されている。
【０００４】
【特許文献１】特許第２８８５０８５号公報（特開平８‐８５９０７号）
【発明の開示】
【発明が解決しようとする課題】
【０００５】
しかしながら特許文献１に開示されている保水性舗装ブロックの場合、保水性舗装ブロック本体が保水タンクの蓋を兼ねているため、この蓋に相当する保水性舗装ブロック本体に舗道を歩く歩行者の体重が直に伝わり、また歩行者が頻繁に行き来することから、比較的短期間で保水性舗装ブロック本体が損傷してしまうことがあり、維持管理が難しい、という問題がある。
【０００６】
前述の問題に鑑み本発明の目的は、貯水ユニットの要部が外部に直接露出していず、それ故長期に亘って損傷し難く、維持管理が容易な潅水システムを提供することにある。
【課題を解決するための手段】
【０００７】
前記目的を達成すべく本発明の請求項１記載の潅水システムは、敷き詰められた保水性ブロックと、該保水性ブロックの下に敷き詰められ上部に開口部を有する貯水ボックスと該貯水ボックスの開口部を覆い前記貯水ボックスに通じる通水孔を有する天板とからなる貯水ユニットと、を有することを特徴とするものである。
【０００８】
また請求項２記載の潅水システムは、敷き詰められた保水性ブロックと、該保水性ブロックの下に敷き詰められた透水性のクッション性介在物と、該透水性のクッション性介在物の下方に敷き詰められ上部に開口部を有する貯水ボックスと該貯水ボックスの開口部を覆い前記貯水ボックスに通じる通水孔を有する天板とからなる貯水ユニットと、を有することを特徴とするものである。
【０００９】
また請求項３記載の潅水システムは、敷き詰められた保水性ブロックと、該保水性ブロックの下に敷き詰められた透水性のクッション性介在物と、該透水性のクッション性介在物の下に敷き詰められた透水性部材と、該透水性部材の下に敷き詰められ上部に開口部を有する貯水ボックスと該貯水ボックスの開口部を覆い前記貯水ボックスに通じる通水孔を有する天板とからなる貯水ユニットと、を有することを特徴としている。
【００１０】
また請求項４記載の潅水システムは、請求項２または請求項３いずれかに記載の潅水システムにおいて、前記透水性のクッション性介在物はサンドクッションであることを特徴とするものである。
さらにまた請求項５記載の潅水システムは、請求項１〜請求項３いずれかに記載の潅水システムにおいて、前記隣接する貯水ユニット間には、配管を布設可能な隙間があることを特徴としている。
【００１１】
また請求項６記載の潅水システムは、請求項１〜請求項３いずれかに記載の潅水システムにおいて、前記隣接する前記貯水ユニット間の隙間には透水性充填部材が充填されていることを特徴とするものである。
さらに請求項７記載の潅水システムは、請求項３記載の潅水システムにおいて、前記透水性部材は透水性シ−トであることを特徴としている。
【００１２】
加えて請求項８記載の潅水システムは、請求項１〜請求項３いずれかに記載の潅水システムにおいて、前記貯水ボックスの底板は、貯水ボックスの貯水部の横断面の面積よりも面積が広く、かつ前記貯水ボックスの側面より外側に突き出していて、前記貯水ボックスの側面にはその上部から下部に向かって延び前記底板表面に連なる複数のリブが設けられていることを特徴とするものである。
そして請求項９記載の潅水システムは、請求項８記載の潅水システムにおいて、前記複数のリブは上部から下部に向かってテーパ状に裾が広がるリブであることを特徴としている。
【００１３】
また請求項１０記載の潅水システムは、請求項１〜請求項３いずれかに記載の潅水システムにおいて、前記貯水ボックスの底板の四辺には、隣接する貯水ボックスの底板に設けられた嵌合穴に嵌め合う嵌合突起と、前記隣接する貯水ボックスの底板に設けられた嵌合突起に嵌め合う嵌合穴とが各々対になって設けられていることを特徴としている。
【００１４】
さらにまた請求項１１記載の潅水システムは、請求項１〜請求項３いずれかに記載の潅水システムにおいて、前記天板の平面は、貯水ボックスの貯水部の横断面よりも広くなっていることを特徴とするものである。
【００１５】
加えて請求項１２記載の潅水システムは、請求項１〜請求項３いずれかに記載の潅水システムにおいて、前記貯水ボックスの上端には嵌合連続突起が設けられ、前記天板の下面には前記嵌合連続突起が嵌合する嵌合溝が設けられていることを特徴とするものである。
また請求項１３記載の潅水システムは、請求項１〜請求項３いずれかに記載の潅水システムにおいて、前記貯水ボックスの上端には嵌合溝が設けられ、前記天板の下面には前記嵌合溝に嵌合する嵌合連続突起が設けられていることを特徴とする。
【００１６】
さらに請求項１４記載の潅水システムは、請求項１〜請求項３いずれかに記載の潅水システムにおいて、前記貯水ボックスの最大幅が５００ｍｍ未満であることを特徴とするものである。
また請求項１５記載の潅水システムは、請求項１〜請求項３いずれかに記載の潅水システムにおいて、前記天板に設けられた通水孔から前記貯水ボックス内の底面に向かって導水性部材が垂下していることを特徴とするものである。
【００１７】
また請求項１６記載の潅水システムは、請求項１５記載の潅水システムにおいて、前記導水性部材はシリカ粉末を円柱状に成形したものであって、前記天板に形成されている通水孔に前記導水性部材の上端が、前記天板の下面から前記貯水ボックスの底面に向かって垂下するように接続されていることを特徴とするものであり、加えて請求項１７記載の潅水システムは、請求項１５記載の潅水システムにおいて、前記導水性部材はシリカ粉末を円筒状に成形したものであって、前記天板に形成されている通水孔と前記導水性部材の孔とが略同心円状になるように、かつ前記天板の下面から前記貯水ボックスの底面に向かって垂下するように前記導水性部材の上端が前記通水孔に接続されていることを特徴とするものである。
【発明の効果】
【００１８】
このようにしてなる本発明によれば、貯水ユニットの要部が外部に直接露出していず、それ故、長期に亘って損傷し難く、維持管理が容易な潅水システムを提供することができる。
【発明を実施するための最良の形態】
【００１９】
以下に図を用いて、本発明の潅水システムの一実施例を詳細に説明する。
図１は本発明の潅水システムを舗道に布設した状態を示す概略断面図、図２はその要部拡大図である。図１、図２に示すように、この潅水システムの重要な構成要件である貯水ユニットは、保水性ブロック、具体的には保水性を有するインターロッキングブロック（保水性を有する舗装ブロック）１の下に布設されている。
以下により詳細に説明する。まず地面を所定深さ掘って整地し、固めた路床２の上に砕石３等を所定の厚さに敷き詰めたら、この砕石３上に所定厚さの砂を被せてサンドクッション４を形成して下地を形成した。
【００２０】
次にサンドクッション４の上に樹脂製の貯水ユニット５を敷き詰める。この貯水ユニット５は、内部に雨水等を貯水する貯水空間を有し、かつ上部に開口部を有する貯水ボックス６と、この貯水ボックス６の上部の開口部を覆う天板７からなっている。この天板７には後述するように１個または複数個の通水孔が設けられていて、地表から浸透してきた雨水はこの通水孔から貯水ボックス６に入って貯水ボックス６内部の貯水空間に溜まるようになっている。
【００２１】
舗道一杯に貯水ユニット５を敷き詰めたら、隣接する貯水ユニット５、５間の隙間に、図２に示すように目地砂、粒調砕石あるいは発生土、さらには焼却炉からでる焼却灰等の透水性充填部材２０を充填する。この実施例では目地砂を透水性充填部材２０として充填後、貯水ユニット５の天板７の上に、例えば、厚さ５ｍｍ程度の不織布等の透水性シ−トからなる透水性部材８を被せた。この透水性部材８は、例えば地表に降った雨水を複数個の貯水ユニット５の天板上に拡散させ、効率よくより多くの貯水ユニット５の貯水ボックス６に雨水を分配するように作用する。
【００２２】
透水性シ−トからなる透水性部材８を敷き詰めたら、再度この上に砂を所定厚さ敷き詰めて透水性のクッション性介在物であるサンドクッション９を形成する。最後にこのサンドクッション９の上に前述したインターロッキングブロック１を敷き詰める。
【００２３】
尚、図１で符号１０は車道、符号１１は路肩ブロック、符号１２は車道の端に形成されている排水溝である。また符号１３は必要に応じて設けられているオーバーフローパイプで、このオーバーフローパイプ１３は一端が貯水ユニット５の貯水ボックス６に、他端が路肩ブロック１１と舗道との間に形成されている図示していない排水溝に繋がっていて、貯水ボックス６に入り切れない雨水はこのオーバーフローパイプ１３を介して排水溝に流れ込む。この排水溝は、排水溝の長手方向に任意の間隔で設置されている集水マス１４に繋がっている。尚、この集水マス１４には車道側の排水溝１２からも排水パイプ１５を介して雨水等が流れ込んでくるようになっている。集水マス１４に集まった雨水は、最後はパイプで繋がっている下水本管１６に流れ込む。
【００２４】
このようにしてなる図１、図２に示す本発明の潅水システムによれば、降った雨は保水性を有するインターロッキングブロック１、サンドクッション９、そして透水性部材８を浸透して天板７に至り、天板７の通水孔を通って貯水ボックス６の貯水空間に落下して溜まる。もし大雨等で雨水が貯水ボックス６内から溢れるような場合には、必要により設けられているオーバーフローパイプ１３を介して排水溝に流れ、集水マス１４に集められた後下水本管１６に流れ込む。
一方、車道に降った雨は路肩近くに設けられている排水溝１２に流れ込んだ後集水マス１４に集められ、最後に下水本管１６から河川等に流れ込む。
【００２５】
雨が上がり、日中気温が上昇してきた場合には、貯水ボックス６内の雨水が透水性部材８を介して、サンドクッション９を抜けて上昇し、インターロッキングブロック１から大気中に蒸気となって放散される。このとき蒸発潜熱でインターロッキングブロック１等を冷却し、周囲の温度を下げる。
尚、前述したオーバーフローパイプ１３やこのオーバーフローパイプ１３からの雨水が流れ込む排水溝や集水マス１４等は本発明の必須要件ではない。
例えば、オーバーフローパイプ１３や排水溝がなければ、貯水ボックス６をオーバーフローした雨水は透水性部材８を介して地中に浸透させればよい。
【００２６】
このようにしてなる本発明の潅水システムによれば、貯水ボックス６と天板７とからなる貯水ユニット５の上にインターロッキングブロック１を設けているため、舗道を歩く歩行者の体重や歩く際の衝撃は、直接貯水ユニット５に加わらない。それ故、貯水ボックス６や天板７が短期間に破損することはない。特に、図１及び図２に示す実施例のように、インターロッキングブロック１と貯水ユニット５との間に、さらにクッション性介在物、具体的にはサンドクッション９や、さらにはまた不織布等からなる透水性部材８を設けておけば、インターロッキングブロック１から伝わってくる荷重や衝撃は、これら透水性部材８やサンドクッション９により、より緩和され、貯水ユニット５に加わる荷重や衝撃を大幅に軽減することができ好ましい。もちろん車道を通る大型車による振動や地震による揺れも、これら透水性部材８やサンドクッション９でその影響を大幅に緩和できる。
【００２７】
尚、前述した透水性部材８やサンドクッション９は、本発明において必ずしも必要な部材ではないが、不織布等の透水性部材８があれば、前述したように貯水ユニット５に伝わる衝撃等を緩和するクッション効果に加えて、インターロッキングブロック１を透過して浸透してきた雨水を複数の貯水ユニット５上により水平方向に均一に拡散でき、さらにはサンドクッション９の砂が天板７に設けられている通水孔から貯水ボックス６内に入り込んで堆積し、貯水ボックス６内の貯水空間を狭めるのを防止することもできる。すなわち、土砂の侵入防止部材としても作用する。
【００２８】
またサンドクッション９があれば、前述したようにインターロッキングブロック１に加わった衝撃等を大幅に緩和して貯水ユニット５に伝えるだけでなく、貯水ユニット５上にインターロッキングブロック１を並べる際、敷き詰めた複数個の貯水ユニット５の面がそれぞれ完全に面一でなくとも、このサンドクッション９でその凸凹を調整できる。それ故、インターロッキングブロック１と貯水ユニット５との間にサンドクッション９のようなクッション性介在物を配置することで、インターロッキングブロック１を並べ易い、という利点もある。
【００２９】
図３及び図４は貯水ユニット５の典型的な例を示す。図３は貯水ユニット５の正面図、図４はその斜視図である。これらの図が示すように、天板７の平面の面積、すなわち、平面の広さは貯水ボックス６の貯水部、すなわち、この例では正方形状の箱部分における横断面の広さ（面積）よりも広くなっていて、メンテナンス等のため、貯水ユニット５を露出させる必要が生じた場合、外部から土砂が貯水ボックス６の内部に侵入し難くなっている。
【００３０】
また貯水ボックス６の底板３０は、貯水ボックス６の貯水部の横断面の広さ（面積）、具体的には、例えば、図３及び図４において、貯水ボックス６の側壁部をその高さの半分位の位置で横に切断した位置における平面の面積よりもその面積が大きくなっていて、それ故、貯水ボックス６の側面よりも外側に突き出している。そして貯水ボックス６の４つの側面には、各々に上部から下部、すなわち、上部から底板３０の表面に至る複数のリブ３１が設けられている。
【００３１】
このリブ３１は、上から下まで貯水ボックス６の側面表面から測定した幅が同じ幅のリブであってもよいし、図３及び図４に示すように、上部から下部に向かってその幅がテーパ状に裾広がりになるリブであってもよい。
これらのリブ３１は、その数が多ければ多いほど、貯水ボックス６の耐荷重を大きくできる。それ故、貯水ユニット５が布設される環境を考慮して設けるリブ３１の数、その幅等を決定すればよい。
【００３２】
このようなテーパ状のリブ３１であれば、図５に示すように、貯水ユニット５同士を並べて敷き詰めたとき、隣接する貯水ユニット５、５間に断面が逆三角形状の隙間を作ることができる。そのため、隣接する両貯水ユニット５、５の間に給排水管等の配管４０を布設できる。
このような位置に配管４０を布設すれば、配管４０に外力が直接加わることがないので、配管４０の損傷を長期間防ぐことができ好ましい。またこの場合、貯水ユニット５、５両者のリブ３１、３１で配管４０を２点支持で支持できるようになり、位置決めが確実にでき、かつ安定して配管４０を保持でき、好ましい。
因みに、ここでいう給水管の如き配管４０を必ずしも布設しておく必要はないが、予めこのように配管し、かつこの配管４０から枝管を各貯水ユニット５に接続しておけば、雨不足で貯水ボックス６内に雨水がなくなったら、この配管４０を用いて外部から各貯水ボックス６へと水を供給できる。それ故、旱魃時のように雨不足の場合にも、本発明の潅水システムを使用でき好ましい。
ところで、図４において符号５５は天板７に、その表裏を貫通して形成されている通水孔である。また配管４０の周囲には目地砂等からなる透水性充填部材２０が充填されている。
【００３３】
図６〜図８は本発明に係る貯水ボックス６の変形例である。具体的には、貯水ユニット５から天板７を外した状態、すなわち貯水ボックス６の平面図で、ここでは３種類の貯水ボックス６を示している。
図６〜図８に示す各貯水ボックス６において、符号３０は側壁３３よりも外方に飛び出ている底板で、各側壁３３には前述したテーパ状のリブ３１が等間隔で５個ずつ設けられている。また符号３４は貯水ボックス６の内部、すなわち、貯水部の貯水空間を示している。
ところで図６に示す貯水ボックス６の特徴は、底板３０の四辺に同一形状の嵌合突起、ここでは先端が長方形または正方形の一部をなす嵌合突起３５と、この嵌合突起３５に嵌合する嵌合穴３６とが各々一対ずつ組になって設けられている点にある。
その結果、サンドクッション４上に貯水ユニット５を多数敷き詰める際、隣接する貯水ボックス６同士を、互いに向き合う底板３０同士に設けられている前記嵌合突起３５に相手側の嵌合穴３６を、嵌合穴３６に相手側の嵌合突起３５を嵌め合わせていけばよいので、貯水ユニット５の位置決めが確実で、かつ貯水ユニット５の布設をより簡単に行うことができる。
【００３４】
一方、図７に示す貯水ボックス６の場合は、前述した嵌合突起３５及びこれに嵌め合う嵌合穴３６がテーパ状になっている点にその特徴がある。
このように嵌合突起３５及び嵌合穴３６をテーパ状にしておけば、お互いの嵌め合いが図６に示すものより容易になり、貯水ユニット５の布設作業がより簡単になり好ましい。
さらに図８に示す貯水ボックス６の特徴は、図６に示す貯水ボックス６の嵌合突起３５の部分に吊り下げ用孔３８を設けた点にある。このようにしておけば、貯水ボックス６が重く、それ故、小型クレーン等で貯水ボックス６を吊り下げて運搬しなければならないような場合、この吊り下げ用孔３８にロープを通して吊り下げることができるので便利である。
図８に示すものでは嵌合突起３５すべてに吊り下げ用孔３８を設けてあるが、いずれか一個の嵌合突起３５にのみ吊り下げ用孔３８を設けておいてもよい。幾つの嵌合突起３５に吊り下げ用孔３８を設けるかは適宜選択すればよい。
【００３５】
図９及び図１０は、貯水ユニット５のさらに別の例を示すもので、共に貯水ユニット５の縦断面図である。
図９に示す貯水ユニット５の特徴は、貯水ボックス６と天板７の嵌め合い部分にある。具体的には、図９に示すものでは貯水ボックス６の全四面の側壁３３の上端に連続的に嵌合連続突起５１が設けられ、一方、天板７の下面には四辺に亘って前記嵌合連続突起５１に嵌合する嵌合溝５２が設けられている。
その結果、外部から土砂が貯水ボックス６内に侵入しようとしても、侵入経路が長くなって、侵入し難くなる。
【００３６】
一方、図１０に示す貯水ユニット５の特徴は、図９に示したものとは逆に、貯水ボックス６の全四面の側壁３３の上端に嵌合溝５３が連続して設けられていて、他方、天板７の下面には前記嵌合溝５３に嵌合する嵌合連続突起５４が、これも全四辺に連続して形成されている。この場合にも、図９に示すものと同様に、外部から土砂が貯水ボックス６内に侵入しようとしても、侵入経路が長くなって、侵入し難くなる作用効果を有している。
【００３７】
さらに図９及び図１０に示す貯水ユニット５の特徴は、天板７に設けた複数個の通水孔５５に接続され、貯水ボックス６内の底面に向かって垂下している導水性部材５６にもある。
単に天板７に通水孔５５を設けただけでも、インターロッキングブロック１やサンドクッション９、透水性部材８を透過して貯水ユニット５に至った雨水は、通水孔５５を通って貯水ボックス６内の貯水空間３４に溜まり、また外部の温度が高い時は、蒸発した水分がこの通水孔５５を抜けて、最終的にはインターロッキングブロック１等を冷却しながら空気中に放散されるが、この雨水の上昇、そして上昇した水分の蒸発の効率を上げるため、前述したように天板７の下面に導水性部材５６が接続されている。
【００３８】
図９に示す導水性部材５６は、シリカ粉末を円筒状（パイプ状）に成形したものである。そして導水性部材５６は、天板７に形成されている通水孔５５とこの導水性部材５６の孔とが略同心円状になるように、かつ天板７の下面から貯水ボックス６の底面に向かって垂下するようにその上端が通水孔５５に接続されている。
一方、図１０に示すものは、シリカ粉末を円柱状に成形したもので、この導水性部材５６の上端が天板７の通水孔５５に接続され、天板７の下面から貯水ボックス６の底面に向かって垂下している。
【００３９】
このようにいずれの導水性部材５６も多孔質の成形体であるから表面張力も働き易く、特に外部の環境が高温の際には、貯水ボックス６内からの水分の上昇に大きく寄与し、インターロッキングブロック１等を冷却する上でその効果は極めて大きい。
もちろん導水性部材５６としてはシリカ粉末による成形体に限らず、不織布等の透水性部材を円筒状、円柱状、あるいはそれ以外の形状にしたものでもよいことは言うまでもない。但し、その下端は、貯水ボックス６内の底面に接触させる程度に垂下されて取り付けられていることが肝要である。そのようにしておけば貯水ボックス６内の貯水量が極くわずかであっても雨水を最後迄有効に上昇させ、使い切ることができるからである。
【００４０】
ところで貯水ボックス６の大きさとしては、最大幅、すなわち、前述実施例のような平面形状略正方形である場合ならその一辺が、長方形ならその長辺が最大５００ｍｍ未満になっていることが好ましい。何故ならば、稀に舗道に隣接する店舗等に荷物を搬送するため、あるいは事故等でトラックが一時的に舗道に乗り上げる場合があるからである。例えば、２５トントラックの場合、タイヤの設置面積は２００ｍｍ×５００ｍｍなので、最大幅を５００ｍｍ未満にしておけば、タイヤが最悪でも貯水ボックス６内にすっぽり収まる位置に来ることはない。すなわち、タイヤの一部が必ず貯水ボックス６の側壁３３上に位置するため、側壁３３やこれに設けられているリブ３１でトラックの荷重の一部を支えることができ、それ故、貯水ユニット５の損傷を回避できる可能性が高くなるからである。
それ故、トラック等の車が舗道に乗り上げる可能性の高い場所だけでも、貯水ボックス６として、その最大幅が５００ｍｍ以下のものを用いておけば、最悪この貯水ボックス６上にトラックが駐車しても貯水ボックス６の損傷の恐れを少なくでき好ましい。
【００４１】
また貯水ユニット５の貯水ボックス６、天板７とも樹脂で形成すれば、リブ３１や嵌合突起３５、嵌合穴３６等の加工も容易で製造し易い。しかも樹脂のリサイクル材も使用でき好ましい。但し、特に荷重負担が大きな場所に布設する貯水ユニット５にあっては、貯水ボックス６や天板７のいずれか、あるいは総てを金属製にすることも可能である。
【００４２】
以上説明したように本発明の潅水システムによれば、貯水ボックス６と天板７とからなる貯水ユニット５の上にインターロッキングブロック１を設けているため、舗道を歩く歩行者の体重や衝撃は、一次的にはインターロッキングブロック１で受けるため、内部の貯水ユニット５に直接加わらない。それ故、貯水ボックス６や天板７が短期間に破損する可能性は極めて小さい。特に、図１及び図２に示す実施例のように、インターロッキングブロック１と貯水ユニット５との間にサンドクッション９や不織布のような透水性部材８を設ければ、インターロッキングブロック１から伝わる衝撃はより緩和され、貯水ユニット５に加わる荷重や衝撃をより一層低減することができる。また車道を通る大型車による振動や地震による揺れも、これら透水性部材８やサンドクッション９でその影響を大幅に緩和できる。
【００４３】
さらには、隣接する貯水ユニット５同士の間には隙間があって、個々には目地砂２０が充填されているため、特許文献１記載のもののように保水性舗装ブロック同士が、その側面を直接接触させながら敷き詰められるものに比して、地震があって、あるいは隣接する車道を大型のトラック等が通過して、大きな振動が発生して舗道が揺れても、目地砂２０がその揺れを緩和してくれる。そのためその揺れで貯水ユニット５も揺れ、その一部が逃げ場を失って盛り上がる等の不具合も生じ難い。
このように特許文献１に開示されている従来の保水性舗装ブロックでは、保水性舗装ブロック本体が直接歩行者に触れる、すなわち露出していて損傷し易いとか、地震等で舗道が揺れると保水性舗装ブロックが盛り上がってしまい易い等の問題があったが、前述した本発明の潅水システムにおいては、これらの問題が解決され、あるいは大幅に緩和されるようになる。
【００４４】
ところで前記各実施例では、本発明の潅水システムを舗道に適用した例のみ示しているが、本発明の潅水システムは舗道に限らず、例えば、ビルの屋上にも布設できるし、公園内等の人が多く集まる場所において、特に夏季に周囲温度を下げたいような場所にも適用可能である。また、駐車場にも適用できるが、その場合には貯水ユニットの機械的強度には十分な配慮が必要である。具体的には、例えば、貯水ボックスの最大幅を小さくしたり、側壁に設けるリブの数を増やしたり、その幅を広げる等の工夫が必要である。
【００４５】
以上のように本発明の潅水システムによれば、貯水ユニットの要部が外部に直接露出していず、それ故長期に亘って損傷し難く、維持管理が容易な潅水システムを提供することができる。
【図面の簡単な説明】
【００４６】
【図１】本発明の潅水システムの一実施例を示す概略断面図である。
【図２】図１に示す潅水システムの一部拡大断面図である。
【図３】本発明の潅水システムに係る貯水ユニットの一例を示す正面図である。
【図４】図３に示す貯水ユニットの斜視図である。
【図５】図３に示す貯水ユニット間に配管を布設した状態を示す正面図である。
【図６】本発明の潅水システムに係る貯水ユニットの別の例を示すもので、天板を外した状態を示す貯水ボックスの平面図である。
【図７】本発明の潅水システムに係る貯水ユニットのさらに別の例を示すもので、天板を外した状態を示す貯水ボックスの平面図である。
【図８】本発明の潅水システムに係る貯水ユニットのさらにまた別の例を示すもので、天板を外した状態を示す貯水ボックスの平面図である。
【図９】本発明の潅水システムに係る貯水ユニットのさらに別の例を示す縦断面図である。
【図１０】本発明の潅水システムに係る貯水ユニットのさらにまた別の例を示す縦断面図である。
【符号の説明】
【００４７】
１  インターロッキングブロック
４  サンドクッション
５  貯水ユニット
６  貯水ボックス
７  天板
８  透水性部材
９  サンドクッション
１０  車道
１４  集水マス
２０  透水性充填部材
３０  底板
３１  リブ
３３  側壁
３４  貯水空間
３５  嵌合突起
３６  嵌合穴
３８  吊り下げ用孔
５１  嵌合連続突起
５２、５３  嵌合溝
５４  嵌合連続突起
５５  通水孔
５６  導水性部材
【図１】
2008231703.tif 000003
【図２】
2008231703.tif 000004
【図３】
2008231703.tif 000005
【図４】
2008231703.tif 000006
【図５】
2008231703.tif 000007
【図６】
2008231703.tif 000008
【図７】
2008231703.tif 000009
【図８】
2008231703.tif 000010
【図９】
2008231703.tif 000011
【図１０】
2008231703.tif 000012